(57)【要約】  【課題】２本の交流電源用ラインと通信線との３線を用いて交流電源電圧の半周期ごとに機器の間で通信を行う通信装置において、送信用のスイッチ素子に、耐圧の低い安価なフォトカプラを用いた回路を提供する。  【解決手段】電源線Ｌ２と電源線Ｌ１との間に、直列に接続された室内機送信部１２と室内機受信部１３と、直列に接続された室外機送信部２３と室外機受信部２２と、直列に接続された抵抗３１と抵抗３２とがそれぞれ接続され、各接続点が通信線ＬＳに接続されている。各送信部、受信部はフォトカプラを備えており、各送信部はフォトカプラのフォトトランジスタでオン／オフのスイッチ動作を行う。スイッチ動作がオフの時、このフォトカプラのフォトトランジスタの順方向電圧は電源電圧の半分になり、耐圧が低くて安価なフォトカプラを使用することができる。【選択図】図２
2010078197.tif 000002
【特許請求の範囲】
【請求項１】
データ通信を行う少なくとも２つの機器に接続された電源線Ｌ１と電源線Ｌ２と通信線と、一端が接続された接続点に前記通信線が接続され、他端がそれぞれ前記電源線Ｌ１と前記電源線Ｌ２とに接続された２つの抵抗と、一方の前記機器に備えられ、前記電源線Ｌ１と前記通信線との間に接続された第１の受信部、及び前記電源線Ｌ２と前記通信線との間に接続されたスイッチ素子を備えた第１の送信部と、他方の前記機器に備えられ、前記電源線Ｌ２と前記通信線との間に接続された第２の受信部、及び前記電源線Ｌ１と前記通信線との間に接続されたスイッチ素子を備えた第２の送信部とを備えたことを特徴とする通信装置。
【請求項２】
前記スイッチ素子はフォトカプラであることを特徴とする請求項１に記載の通信装置。
【請求項３】
前記通信装置を室内機と室外機との通信に用いることを特徴とする空気調和機。
【発明の詳細な説明】
【技術分野】
【０００１】
本発明は、空気調和機の室内機と室外機との通信に使用される通信装置に係わり、より詳細には、コストを低減させた通信装置の回路構成に関する。
【背景技術】
【０００２】
従来、空気調和機の室内機と室外機との通信に使用される通信装置は、例えば図５に示す回路が用いられていた。
【０００３】
図５は室内機７１と室外機７２との通信を行う通信回路の要部回路図である。室外機７２には電源プラグに接続された２本の電源コードＬＡＣが、電源線Ｌ２と電源線Ｌ１とにそれぞれ接続され、この電源線Ｌ２と電源線Ｌ１とが室外機７２から室内機７１へ接続されている。また通信線ＬＳも同様に室内機７１と室外機７２との間に接続されている。
【０００４】
室内機７１と室外機７２との通信は、この電源線Ｌ２と電源線Ｌ１と通信線ＬＳとを用いて、電源コードＬＡＣに印加される交流電源電圧の半周期に１ビットを送受信する構成になっている。具体的にはこの半周期の間に通信線ＬＳを介して電源線Ｌ２と電源線Ｌ１とに流れる電流をオン／オフすることで、これと対応するデータの”１”、”０”を室内機と室外機との間で認識する。
【０００５】
このため、室内機７１の内部には、電源線Ｌ２と電源線Ｌ１との間に、直列に接続された室内機送信部８１と室内機受信部８２とが接続され、また、室外機７２の内部には、電源線Ｌ２と電源線Ｌ１との間に、直列に接続された室外機送信部９５と室外機受信部９６とが接続されており、室内機７１と室外機７２との内部でそれぞれ直列に接続された各送信部と受信部との接続点は、通信線ＬＳを介して接続されている。
【０００６】
室内機送信部８１と室外機送信部９５とは、直列に接続されたトライアックＴＡと抵抗Ｒ１０とで構成され、室内機７１と室外機７２とにそれぞれ設けられた図示しない制御部の指示により、トライアックＴＡがオン／オフ制御される。また、室内機受信部８２と室外機受信部９６とは、アノード端子の向きを互いに逆にし、並列に接続された２つのフォトダイオードＤ０（図示しないフォトカプラのダイオード側）と、これに直列に接続された抵抗Ｒ２０とで構成されている。
【０００７】
従って、室内機７１と室外機７２とが互いに同期して、トライアックＴＡをオン／オフ制御することでデータを送信し、この結果、２つのフォトダイオードＤ０のいずれかが発光し、図示しないフォトカプラの出力に受信信号としてデータの”１”、”０”を取り出す構成になっている。
【０００８】
図４は以上説明した通信方式を概念的に説明する説明図である。図５で説明した機能とほぼ同じ機能の部分については、同じ名称と、番号を付与して説明を行う。
【０００９】
図４において、交流電源５０には電源線Ｌ２と電源線Ｌ１とがそれぞれ接続され、室内機送信部８１と室内機受信部８２、室外機送信部９５と室外機受信部９６、通信線ＬＳも図５と同様に接続されている。
【００１０】
室内機送信部８１は直列に接続されたダイオード５１とスイッチ素子５２とで構成され、ダイオード５１のアノード端子は電源線Ｌ２に、ダイオード５１のカソード端子はスイッチ素子５２を介して通信線ＬＳにそれぞれ接続されている。なお、スイッチ素子５２は、室内機７１内に設けられた図示しない室内機制御部の指示によりオン／オフ制御される。また、室内機送信部８１は、電源線Ｌ２の電圧が電源線Ｌ１よりも高い場合にのみ機能する。
【００１１】
一方、室外機送信部９５も同様に、直列に接続されたダイオード６１とスイッチ素子６２とで構成され、ダイオード６１のカソード端子は電源線Ｌ２に、ダイオード６１のアノード端子はスイッチ素子６２を介して通信線ＬＳにそれぞれ接続されている。なお、スイッチ素子６２は、室外機７２内に設けられた図示しない室外機制御部の指示によりオン／オフ制御される。また、室外機送信部９５は、電源線Ｌ２の電圧が電源線Ｌ１よりも低い場合にのみ機能する。
【００１２】
室内機受信部８２は、抵抗Ｒ５３と、図示しないフォトカプラを構成するダイオード５４と、ダイオード５５とが直列に接続されて構成されている。そして、ダイオード５５のアノード端子は電源線Ｌ１に、ダイオード５５のカソード端子はダイオード５４のアノード端子に、ダイオード５４のカソード端子は抵抗５３を介して通信線ＬＳにそれぞれ接続されている。
【００１３】
室外機受信部９６は、抵抗Ｒ６５と、図示しないフォトカプラを構成するダイオード６４と、ダイオード６３とが直列に接続されて構成されている。そして、ダイオード６３のアノード端子は通信線ＬＳに、ダイオード６３のカソード端子はダイオード６４のアノード端子に、ダイオード６４のカソード端子は抵抗６５を介して電源線Ｌ１にそれぞれ接続されている。
【００１４】
ここで、ダイオード５１、５５、６１、６３は逆電圧の耐圧を向上させる逆電圧防止ダイオードである。一般的に、フォトカプラを構成するダイオード部分や、スイッチ素子を構成するフォトカプラのフォトトランジスタ部分は逆耐圧が低いため、低コストのフォトカプラ、つまり、逆耐圧が低いフォトカプラを用いるため、逆電圧の耐圧を向上させる逆電圧防止ダイオードとペアで用いる。これは、電源線Ｌ２と電源線Ｌ１とに交流電圧が印加されるため、この交流電圧の半周期ごとに逆電圧が印加されるからである。
【００１５】
また、抵抗５３はダイオード５４の電流制限抵抗、また、抵抗６５はダイオード６４の電流制限抵抗である。
【００１６】
次に図４を用いて通信の原理を説明する。まず、初期状態として、スイッチ素子５２、６２をオフ状態にしておく。室内機７１から室外機７２へデータを送信する場合は、スイッチ素子５２をオン／オフ制御する。スイッチ素子５２がオンとなると、電源線Ｌ２からダイオード５１、スイッチ素子５２、通信線ＬＳ、ダイオード６３、ダイオード６４、抵抗６５、電源線Ｌ１に向かって順次電流が流れ、ダイオード６４が発光することでこれと対応するフォトカプラの出力をオンにする。この出力は、スイッチ素子５２がオフの時、オフとなり、オンの時”１”、オフの時”０”などと定義してデータを伝えることができる。なお、室外機７２から室内機７１へデータを送信する場合も同じ原理であるため、説明を省略する。
【００１７】
以上説明した回路において、スイッチ素子にフォトカプラを用いた場合、その順方向の耐圧が問題となる。逆電圧に関しては前述の逆電圧防止ダイオードで対応できるが、順方向の電圧に関しては、スイッチ素子がオンの場合は問題ないが、スイッチ素子がオフした時、スイッチ素子の両端には交流電源の電圧、例えば１００ボルト（実効値）である場合、最大で直流の１４１ボルトが印加されることになる。従って、通常は図５で説明したように、トライアックやサイリスタ、もしくは、耐圧の高いフォトカプラが用いられている（例えば、特許文献１参照。）。
【００１８】
しかしながら、交流電圧の半周期ごとに送信を行う通信回路においては、一般的にトライアックやサイリスタ、耐圧の高いフォトカプラは高価であり、耐圧の低い安価なフォトカプラを用いることが可能な回路が望まれていた。
【特許文献１】特開２０００−１１１１２３号公報（第４−５頁、図１）
【発明の開示】
【発明が解決しようとする課題】
【００１９】
本発明は以上述べた問題点を解決し、２本の交流電源用ラインと通信線との３線を用いて交流電源電圧の半周期ごとに機器の間で通信を行う通信装置において、送信用のスイッチ素子に、耐圧の低い安価なフォトカプラを用いた回路を提供することを目的とする。
【課題を解決するための手段】
【００２０】
本発明は上述の課題を解決するため、データ通信を行う少なくとも２つの機器に接続された電源線Ｌ１と電源線Ｌ２と通信線と、一端が接続された接続点に前記通信線が接続され、他端がそれぞれ前記電源線Ｌ１と前記電源線Ｌ２とに接続された２つの抵抗と、一方の前記機器に配置され、前記電源線Ｌ１と前記通信線との間に備えられた第１の受信部、及び前記電源線Ｌ２と前記通信線との間に配置されたスイッチ素子を備えた第１の送信部と、他方の前記機器に配置され、前記電源線Ｌ２と前記通信線との間に備えられた第２の受信部、及び前記電源線Ｌ１と前記通信線との間に配置されたスイッチ素子を備えた第２の送信部とを備える。
【００２１】
また、前記スイッチ素子はフォトカプラである。
【００２２】
一方、前記通信装置を室内機と室外機との通信に用いる。
【発明の効果】
【００２３】
以上の手段を用いることにより、本発明による通信装置によれば、
請求項１に係わる発明は、交流電圧の半周期ごとに送信を行う通信回路において、２つの電源線間に２本の抵抗を直列に接続して電源電圧を分圧することにより、スイッチ素子に耐圧の低い素子を用いることができるため、通信装置を安価に構成することができる。
【００２４】
請求項２に係わる発明は、電源線の間に直列に接続された分圧用の抵抗により、交流電源電圧が分圧されるため、スイッチ素子を比較的耐圧が低くて安価なフォトカプラとすることができ、通信装置を安価に構成することができる。
【００２５】
一方、本発明による空気調和機によれば、
請求項３に係わる発明は、従来と同じ３線式の通信方式で、かつ、交流電源電圧の半周期ごとに、機器の間で通信を行う方式が使用可能な通信装置を備えた空気調和機を安価に構成することができる。
【発明を実施するための最良の形態】
【００２６】
以下、本発明の実施の形態を、添付図面に基づいた実施例として詳細に説明する。
【実施例１】
【００２７】
図１は空気調和機の室内機１と室外機２との通信に使用される通信装置を説明する要部ブロック図である。
【００２８】
交流電源５０には電源線Ｌ２と電源線Ｌ１とがそれぞれ接続され、この電源線Ｌ２と電源線Ｌ１とが室内機１から室外機２へ接続されている。また通信線ＬＳも同様に室内機１と室外機２との間に接続されている。
【００２９】
室内機１と室外機２との通信は、この電源線Ｌ２と電源線Ｌ１と通信線ＬＳとを用いて、これらの電源線に印加される交流電源電圧の半周期に１ビットを送受信する構成になっている。具体的にはこの半周期の間に通信線ＬＳを介して電源線Ｌ２と電源線Ｌ１とに流れる電流をオン／オフすることで、これと対応するデータの”１”、”０”を室内機１と室外機２との間で認識する。
【００３０】
このため、室内機１の内部には、電源線Ｌ２と電源線Ｌ１との間に、直列に接続された第１の送信部である室内機送信部１２と第１の受信部である室内機受信部１３とが接続されている。また、電源線Ｌ２と電源線Ｌ１との間には、これらの電源の極性反転を監視する極性監視部１１が接続され、この監視結果の信号、例えば”正”、”負”を示す信号を知らせる信号線が、室内機１全体を制御する室内機制御部１４へ接続されている。この室内機制御部１４には、室内機送信部１２への送信信号線と室内機受信部１３からの受信信号線とが接続されている。
【００３１】
また、室外機２の内部には、電源線Ｌ２と電源線Ｌ１との間に、直列に接続された第２の送信部である室外機送信部２３と第２の受信部である室外機受信部２２とが接続されている。また、電源線Ｌ２と電源線Ｌ１との間には、これらの電源の極性反転を監視する極性監視部２１が接続され、この監視結果の信号、例えば”正”、”負”を示す信号を知らせる信号線が、室外機２全体を制御する室外機制御部２４へ接続されている。この室外機制御部２４には、室外機送信部２３への送信信号線と室外機受信部２２からの受信信号線とが接続されている。
【００３２】
そして電源線Ｌ２と電源線Ｌ１との間に、直列に接続された抵抗３１と抵抗３２とが接続され、室内機送信部１２と室内機受信部１３との接続点と、室外機送信部２３と室外機受信部２２との接続点と、抵抗３１と抵抗３２との接続点とが、通信線ＬＳに接続されている。なお、この抵抗３１と抵抗３２とは同じ抵抗値である。
【００３３】
極性監視部１１と極性監視部２１とは同一回路であり、電源線Ｌ２と電源線Ｌ１の間の電圧を入力し、交流電源５０の現在の電圧極性を監視しており、この現在の電圧極性信号を入力した室内機制御部１４と室外機制御部２４とは、現在の電圧極性信号と、極性切り替わりタイミング、所謂、ゼロクロス点とを監視している。この実施例では、交流電源電圧の１周期の前半を室内機１からの送信タイミングに、１周期の後半を室外機２からの送信タイミングにそれぞれ割り当てている。
【００３４】
従って、各制御部は、各制御部に割り当てられた１周期の前半／後半を現在の電圧極性信号で確認し、自分のタイミングが来た時のみ送信、つまり、各送信部のオン制御を行う。また、ゼロクロス点から所定の時間で、送信信号をオンとし、一定時間後に送信信号をオフとする。このオン／オフ期間の中間点を交流電源電圧のピーク点と対応させることにより、正確なデータ伝送を行う。
【００３５】
次に図２の通信回路の要部回路図を用いて、図１の回路動作を詳細に説明する。
【００３６】
図２は図１の回路のうち、交流電源５０と、室内機送信部１２、室内機受信部１３、室外機送信部２３、室外機受信部２２、抵抗３１と抵抗３２とを抜き出した回路図である。各ブロックの接続については図１と同じため、同一のブロック名と番号を付与し、詳細な説明を省略する。
【００３７】
室内機送信部１２はダイオード１２ｂとフォトカプラ１２ａとが直列に接続されており、ダイオード１２ｂのアノード端子は電源線Ｌ２に、ダイオード１２ｂのカソード端子はフォトカプラ１２ａのフォトトランジスタのコレクタ端子にそれぞれ接続されている。そして、フォトカプラ１２ａのフォトトランジスタのエミッタ端子は通信線ＬＳに接続されている。また、このように送信部で用いられるフォトカプラは、フォトトランジスタとフォトダイオードとで構成されており、フォトダイオードに電流を流すことにより、フォトトランジスタをオンとすることができる。従ってこの実施例の送信部で使用されるフォトカプラがスイッチ素子となる。
【００３８】
室内機受信部１３はダイオード１３ｂとフォトカプラ１３ａと抵抗１３ｃとが直列に接続されており、ダイオード１３ｂのアノード端子は電源線Ｌ１に、ダイオード１３ｂのカソード端子はフォトカプラ１３ａのフォトダイオードのアノード端子にそれぞれ接続されている。そして、フォトカプラ１２ａのフォトダイオードのカソード端子は、抵抗１３ｃを介して通信線ＬＳに接続されている。
【００３９】
室外機送信部２３はダイオード２３ｂとフォトカプラ２３ａとが直列に接続されており、ダイオード２３ｂのアノード端子は電源線Ｌ１に、ダイオード２３ｂのカソード端子はフォトカプラ２３ａのフォトトランジスタのコレクタ端子にそれぞれ接続されている。そして、フォトカプラ２３ａのフォトトランジスタのエミッタ端子は通信線ＬＳに接続されている。
【００４０】
室外機受信部２２はダイオード２２ｂとフォトカプラ２２ａと抵抗２２ｃとが直列に接続されており、ダイオード２２ｂのアノード端子は電源線Ｌ２に、ダイオード２２ｂのカソード端子はフォトカプラ２２ａのフォトダイオードのアノード端子にそれぞれ接続されている。そして、フォトカプラ２２ａのフォトダイオードのカソード端子は、抵抗２２ｃを介して通信線ＬＳに接続されている。
【００４１】
なお、ダイオード１２ｂ、１３ｂ、２２ｂ、２３ｂは各ダイオードに直列に接続されている各フォトカプラの逆電圧防止ダイオードである。そして、抵抗１３ｃはフォトカプラ１３ａのフォトダイオードの電流制限抵抗であり、また、抵抗２２ｃはフォトカプラ２２ａのフォトダイオードの電流制限抵抗である。さらに、抵抗３１と抵抗３２とは同じ値になっている。従って各送信部がオフの時、通信線ＬＳは交流電源電圧の半分の電圧になっている。
【００４２】
図３は図２の回路が動作した時の波形を示すタイムチャートである。図３（１）は交流電源５０の電源電圧、図３（２）は室内機制御部１４からのＯＮ／ＯＦＦ送信信号を表しており、ＯＮの時に室内機送信部１２のフォトカプラ１２ａのフォトダイオードに電流が流れてフォトカプラ１２ａのフォトトランジスタがＯＮとなる。
【００４３】
図３（３）は室外機制御部２４からのＯＮ／ＯＦＦ送信信号を表しており、ＯＮの時に室外機送信部２３のフォトカプラ２３ａのフォトダイオードに電流が流れてフォトカプラ２３ａのフォトトランジスタがＯＮとなる。
【００４４】
図３（４）は通信線ＬＳの電圧を示し、図３（５）は室外機受信部２２の受信電圧、つまり、フォトカプラ２２ａのフォトダイオードの順方向電圧を示し、図３（６）は室内機受信部１３の受信電圧、つまり、フォトカプラ１３ａのフォトダイオードの順方向電圧を示している。
【００４５】
次に図３を用いて室内機１と室外機２との通信動作を説明する。なお、交流電源は１００ボルトで電源周波数は５０ヘルツとする。この場合、１周期は２０ミリセカンド、半周期は１０ミリセカンドとなり、半周期ごとの電圧ピークはゼロクロス点から５ミリセカンド経過後となる。
【００４６】
図３（１）に示すように、室内機制御部１４は室内機１から室外機２へ送信する場合、交流電源５０の電圧の１周期の前半開始を極性監視部１１で確認すると、図３（２）に示すようにゼロクロス点からｔ０時間、例えば３．３ミリセカンドだけ待つ。そして、ｔ１の期間、例えば３．３ミリセカンドだけ、室内機送信部１２のフォトカプラ１２ａのフォトトランジスタをオンにする。
【００４７】
図３（４）に示すように、室内機送信部１２のフォトカプラ１２ａがオンとなると、交流電源電圧（ピーク電圧：Ｖｐ＝１４１ボルト）を抵抗３１、３２で分圧した通信線ＬＳの正方向の電圧Ｖｐ−ｏｆｆ：約＋７０ボルトが、抵抗３１が短絡される動作により交流電源電圧Ｖｐ−ｏｎ：約＋１４１ボルトまで上昇する。
【００４８】
一方、室内機送信部１２のフォトカプラ１２ａがオンする前は、電源線Ｌ２からダイオード２２ｂ、フォトカプラ２２ａ、抵抗２２ｃ、通信線ＬＳ、抵抗３２、電源線Ｌ１と順に流れていた電流が、抵抗３１が短絡される動作により流れなくなり、図３（５）に示すように室外機受信部２２のフォトカプラ２２ａのフォトダイオードの両端電圧がほぼ０ボルトになる。また、室内機送信部１２のフォトカプラ１２ａがオフすると、フォトカプラ２２ａのフォトダイオードの両端電圧は、順方向電圧Ｖｆまで上昇する。このため、室外機受信部２２からはこの変化と対応する信号が室外機制御部２４へ出力される。
【００４９】
室外機制御部２４ではゼロクロス点から５ミリセカンドが経過した時点、つまり、ｔ１の中央でこの室外機受信部２２からの信号を取り込んでおり、室内機１が送信した送信データを室外機で受け取ることができる。
【００５０】
逆に、図３（１）に示すように、室外機制御部２４は室外機２から室内機１へ送信する場合、交流電源５０の電圧の１周期の後半開始を極性監視部２１で確認すると、図３（３）に示すようにゼロクロス点からｔ２時間、例えば３．３ミリセカンドだけ待つ。そして、ｔ３の期間、例えば３．３ミリセカンドだけ、室外機送信部２３のフォトカプラ２３ａのフォトトランジスタをオンにする。
【００５１】
図３（４）に示すように、室外機送信部２３のフォトカプラ２３ａがオンとなると、交流電源電圧を抵抗３１、３２で分圧した通信線ＬＳの負方向の電圧：約−７０ボルトが、抵抗３２が短絡される動作により約−１４１ボルトまで下降する。
【００５２】
一方、室外機送信部２３のフォトカプラ２３ａがオンする前は、電源線Ｌ１からダイオード１３ｂ、フォトカプラ１３ａ、抵抗１３ｃ、通信線ＬＳ、抵抗３１、電源線Ｌ２と順に流れていた電流が、抵抗３２が短絡される動作により流れなくなり、図３（６）に示すように室内機受信部１３のフォトカプラ１３ａのフォトダイオードの両端電圧がほぼ０ボルトになる。また、室外機送信部２３のフォトカプラ２３ａがオフすると、フォトカプラ１３ａのフォトダイオードの両端電圧は、順方向電圧Ｖｆまで上昇する。このため、室内機受信部１３からはこの変化と対応する信号が室内機制御部１４へ出力される。
【００５３】
室内機制御部１４ではゼロクロス点から５ミリセカンドが経過した時点、つまり、ｔ３の中央でこの室内機受信部１３からの信号を取り込んでおり、室外機２が送信した送信データを室内機で受け取ることができる。
【００５４】
以上説明したように、交流電圧の半周期ごとに送信を行う通信回路において、２つの電源線Ｌ１，Ｌ２の間に２本の抵抗Ｒ３１，Ｒ３２を直列に接続して電源電圧を分圧することにより、スイッチ素子であるフォトカプラに耐圧の低い素子を用いることができるため、通信装置を安価に構成することができる。
【００５５】
一方、本実施例で説明したように、従来と同じ３線式の通信方式で、かつ、交流電源電圧の半周期ごとに、機器の間で通信を行う本通信装置を空気調和機の室内機と室外機とに用いることにより、空気調和機を安価に構成することができる。
【００５６】
なお、本実施例では通信装置を空気調和機の室内機と室外機とに応用した場合を説明しているが、これに限るものでなく、電源線２本と通信線１本を利用してデータ通信を行う機器に幅広く応用できる。
【００５７】
また、この実施例では逆電圧防止ダイオードを用いているが、フォトカプラに充分な逆耐圧が有れば省略してもよい。さらに、スイッチ素子はフォトカプラに限らず、耐圧が低くて安価なサイリスタなどでもよい。
【００５８】
また、この実施例では、抵抗３１、抵抗３２を室外機内に設けている。室外機と室内機とが各１台の空気調和機であれば、これらの抵抗は電源線や通信線も含め、どの機器に配置してもよい。ただし、マルチ式の空気調和機のように、室内機が複数台ある場合は、室外機にこれらの抵抗を備えた方が、室内機の交換時に抵抗の有無を管理しなくてよいためにサービス性がよい。
【００５９】
また、背景技術で説明した図４の回路に本実施例と同じように分圧抵抗を付加する構成も可能であるが、スイッチ素子がオフの時にも受信用のフォトダイオードに電流が流れるため、スイッチ素子のオン／オフの時電流差が小さくなり、オン／オフの判定精度が低下する。本実施例では、常に電流が流れ受信用のフォトダイオードを短絡させる構成のため、図４の構成よりもスイッチ素子のオン／オフの時電流差が大きくなり、オン／オフの判定精度が向上する。
【００６０】
なお、図示しないが図３（２）において、室内機制御部の送信信号をｔ１の区間で、複数回オン／オフ制御することで、図３（５）室外機の受信電圧をこれと対応させて受信することができる。つまり、半周期の間に複数ビットの送信／受信が可能になり、室外機と室内機との通信速度を向上させることができる。これは、図３（３）室外機制御部の送信信号でのｔ３区間でも同様に複数ビットの送信／受信が可能である。
【００６１】
また、この実施例では、分圧用の抵抗を同じ値にしているが、これに限るものでなく、使用されるフォトカプラの耐圧に合わせて、分圧比（抵抗比）を変更してもよい。
【００６２】
また、図２において受信部のフォトダイオードには電流制限用の抵抗を直列に接続しているが、これを省略して直結し、抵抗２２ｃの代わりに抵抗３２を、抵抗１３ｃの代わりに抵抗３１を電流制限用の抵抗としてもよい。これにより、各フォトダイオードの両端電圧は最大で順方向電圧Ｖｆ（約２．１ボルト）だけとなり、これと並列に接続されている各送信部のフォトトランジスタのコレクタ−エミッタ間の電圧を非常に小さくすることができる。つまり、各送信部のフォトカプラが安価を小信号用のものにすることができる。
【図面の簡単な説明】
【００６３】
【図１】本発明による空気調和機の実施例を示す要部ブロック図である。
【図２】本発明による通信回路の実施例を示す要部回路図である。
【図３】本発明による通信回路の動作を説明するタイムチャートである。
【図４】従来の通信回路を説明する説明図である。
【図５】従来の通信回路を示す要部ブロック図である。
【符号の説明】
【００６４】
１  室内機
２  室外機
１１  極性監視部
１２  室内機送信部（第１の送信部）
１２ａ  フォトカプラ（スイッチ素子）
１２ｂ  ダイオード
１３  室内機受信部（第１の受信部）
１３ａ  フォトカプラ
１３ｂ  ダイオード  
１３ｃ  抵抗
１４  室内機制御部
２１  極性監視部
２２  室外機受信部（第２の受信部）
２２ａ  フォトカプラ（スイッチ素子）
２２ｂ  ダイオード
２２ｃ  抵抗
２３  室外機送信部（第２の送信部）
２３ａ  フォトカプラ
２３ｂ  ダイオード
２４  室外機制御部
３１  抵抗
３２  抵抗
５０  交流電源
Ｌ１  電源線
Ｌ２  電源線
ＬＳ  通信線
【図１】
2010078197.tif 000003
【図２】
2010078197.tif 000004
【図３】
2010078197.tif 000005
【図４】
2010078197.tif 000006
【図５】
2010078197.tif 000007